(57)【要約】【課題】巻取り装置によって巻取り胴部に強く巻取られた廃棄用の光ファイバを容易に取外せるようにする。【解決手段】巻取り胴部３の一方に設けられた一体の円板状の固定用鍔部５と、巻取り胴部３の他方に設けられた取付け、取外し可能な円板状の可動用鍔部７と、前記巻取り胴部３の周方向の一部領域で前記固定用鍔部５から可動用鍔部７にわたって取外し自在に形成された取外し胴部とで構成する一方、前記可動用鍔部７を、前記巻取り胴部３から前記可動用鍔部７が取外された時、軸方向に沿って前記取外し胴部９の取外しを可能とし、巻取り胴部３に取付けられた時、前記取外し胴部９の動きを拘束する拘束手段を兼ね備えるようにする。【選択図】図１
2006016145.tif 000002
【特許請求の範囲】
【請求項１】
巻取り胴部と、その巻取り胴部の一方に設けられその巻取り胴部と一体の円板状の固定用鍔部と、巻取り胴部の他方に設けられその巻取り胴部に対して取付け、取外し可能な円板状の可動用鍔部と、前記巻取り胴部の周方向の一部領域で前記固定用鍔部から可動用鍔部にわたって取外し自在に形成された取外し胴部とから成り、前記可動用鍔部は、前記巻取り胴部から前記可動用鍔部を取外した時、軸方向に沿って前記取外し胴部の取外しを可能とし、巻取り胴部に取付けた時、前記取外し胴部の動きを拘束する拘束手段を兼ね備えることを特徴とする廃棄用光ファイバの巻取りドラム。
【発明の詳細な説明】
【技術分野】
【０００１】
本発明は、製造工程中に発生する不良品となる廃棄用光ファイバを巻取る巻取りドラムに関する。
【背景技術】
【０００２】
一般に光ファイバは、所定の太さに作られたガラス母材を加熱炉で加熱しながら軟化させ、例えば、糸の径まで引き伸ばす。引き伸ばされたファイバ芯線は冷却され、コーティング用樹脂で被覆された後、巻取りドラムによって巻取られる。
【０００３】
これら一連の製造工程においてファイバ芯線に径の異なる径変が発生したり、あるいは、ガラス母材製造中に泡が混入すると、その泡はファイバ芯線にする時に何百メートル、時として何キロメートルにわたって引き伸ばされ、それが不良品となって現れる。
【０００４】
このような場合、例えばガラス母材中に泡の混入が見つかった時には、一般の製品用の巻取りドラムから廃棄用の巻取りドラムに交換して巻取り、廃棄処分するようにしている。
【０００５】
廃棄用の巻取りドラムは、光ファイバを巻取る巻取り装置をそのまま利用するところから、強い張力が働いた状態で巻取られる。
【０００６】
したがって、廃棄処分する時に巻取りドラムに巻取られた光ファイバは強く巻き付き、取外すのに多大の労力と時間を必要とするところから、それを解消するために、光ファイバが容易に巻取りドラムから取外せる手段が既に公知となっている。
【特許文献１】特開平７−１７６７１号公報
【発明の開示】
【発明が解決しようとする課題】
【０００７】
光ファイバの取外しを容易とした巻取りドラムの概要は、撓曲性の材料から成る中空円柱状の胴部を予め巻取りドラムのドラムに対して取外し自在に装着しておき、その上から光ファイバを巻取るものである。それを取外すには、ドラムに設けられた一方の鍔部を取外し、続いて光ファイバが巻かれた胴部ごとドラムから取外す手段となっている。
【０００８】
胴部と一緒に取外された光ファイバは、前記胴部に上から力を加え変形させることで、胴部から光ファイバが引離され、取外しが容易となる。反面、この手段は撓曲性の胴部を別途必要とするためコストの面で望ましくない。この場合、撓曲性の胴部の使用をやめて、例えば、取外し易いように着脱可能とした一方の鍔部側へ向かって巻取りドラムのドラムを下降傾斜するテーパ面とする手段が考えられるが、巻取り装置によって動力で巻取られた光ファイバは強く、きつく巻取られ、結果的にはテーパ面があっても実際には取外すことができないのが現状となっている。
【０００９】
そこで、本発明にあっては、巻取り用の胴部に強く、きつく巻付いた光ファイバを容易に取外せるようにした廃棄用光ファイバの巻取りドラムを提供することを目的としている。
【課題を解決するための手段】
【００１０】
前記目的を達成するために、本発明にあっては、巻取り胴部と、その巻取り胴部の一方に設けられその巻取り胴部と一体の円板状の固定用鍔部と、巻取り胴部の他方に設けられその巻取り胴部に対して取付け、取外し可能な円板状の可動用鍔部と、前記巻取り胴部の周方向の一部領域で前記固定用鍔部から可動用鍔部にわたって取外し自在に形成された取外し胴部とから成り、前記可動用鍔部は、前記巻取り胴部から前記可動用鍔部を取外した時、軸方向に沿って前記取外し胴部の取外しを可能とし、巻取り胴部に取付けた時、前記取外し胴部の動きを拘束する拘束手段を兼ね備えることを特徴とする。
【発明の効果】
【００１１】
本発明の廃棄用光ファイバの巻取りドラムによれば、巻取られた光ファイバは取外し胴部に接触する作用面積は小さくて済むため可動用鍔部を取外すことで取外し胴部を、大きな抵抗を受けることなく容易に取外すことができる。この結果、巻取り胴部の周方向の一部領域に作られた大きな隙間空間によって、きつく巻取られた光ファイバに弛みが生じ、巻取り胴部から容易に取外せるようになる。
【発明を実施するための最良の形態】
【００１２】
前記巻取り胴部の周方向の一部分に大きな隙間空間を作り、巻取り胴部にきつく巻取られた光ファイバの巻取に弛みを生じさせるという目的を、前記巻取り胴部の周方向の一部領域で、固定用鍔部から可動用鍔部にわたって取外し可能な取外し胴部によって達成する。
【００１３】
（実施例１）
以下、図１乃至図７の図面を参照しながら本発明の実施形態について具体的に説明する。
【００１４】
図１は本発明にかかる廃棄用光ファイバの巻取りドラムの分解斜視図、図２は巻取りドラムの斜視図をそれぞれ示している。
【００１５】
巻取りドラム１は、巻取り胴部３の一方に設けられた円板状の固定用鍔部５と、他方に設けられた円板状の可動用鍔部７とかな成り、合成樹脂の材質で作られている。
【００１６】
巻取り胴部３は、一部領域にわたって取外し可能な取外し胴部９とその内側に径の小さい筒状の軸筒部１１とを有している。内側の軸筒部１１と巻取り胴部３とは中央部位に設けられた連結部材となるフランジ部１３を介して一体に連結支持されている。
【００１７】
取外し胴部９の周方向の長さＬは、実験の結果、前記巻取り胴部３の軸線を中心として９０度ずつ４つに分割したその１つの分割領域の円弧面が、最適となっているが、その長さより若干短くても可能である。また、取外し胴部９の軸方向の長さＤは、前記固定用鍔部５から可動用鍔部７までとなっていて、後述する可動用鍔部７を取外すことで、その可動用鍔部７側からの取外しが可能となっている。
【００１８】
この場合、図１に示すように、巻取り胴部３と軸筒部１１とをつなぐフランジ部１３に前記取外し胴部９の領域にわたって切断領域１３ａを設け、不良品となった光ファイバを巻取り胴部３から取外す時に手等が干渉しないようにすることが望ましい。
【００１９】
固定用鍔部５は、図５に示すように前記巻取り胴部３及び内側の軸筒部１１と一体に形成されると共に、中心部位には軸孔１５が設けられている。軸孔１５の中心軸線と前記軸筒部１１の中心軸線Ｘとは同一軸線上に設定され、軸孔１５と軸筒部１１とは一体に連続し会う形状となっている。
【００２０】
可動用鍔部７は、中心部位に前記固定用鍔部５側の軸孔１５と対応する軸孔１７ａを備えた軸孔嵌合筒部１７と外側嵌合筒部１９とを有している。軸孔嵌合筒部１７は前記軸筒部１１の端縁部と突合せることで所定の嵌合代を有して着脱自在に結合しており、前記軸筒部１１と軸孔嵌合筒部１７は、図外の巻取り装置のシャフトに対して装着可能となっている。可動用鍔部７の外側嵌合筒部１９は、リング状に短く突出した形状となっていて前記巻取り胴部３に対して突合せることで、前記取外し胴部９を含めて巻取り胴部３の内周面に所定の嵌合代を有して着脱自在に嵌合するようになっている。加えて、可動用鍔部７は、前記巻取り胴部３から取外した時、前記取外し胴部９の取外しを可能とし、巻取り胴部３に取付けた時、取外し胴部９の動きを拘束する拘束手段を兼備える手段となっている。
【００２１】
具体的に説明すると、取外し胴部９の内側に前記固定用鍔部５の内壁面に沿って係合し合う第１係合フランジ部２１と前記可動用鍔部７の外側嵌合筒部１９の内壁面に沿って係合し合う第２係合フランジ部２３がそれぞれ設けられている。
【００２２】
この場合、第２係合フランジ部２３と可動用鍔部７との係合関係がすぐに目視によって判別できるように、図１、図２に示す如く、それぞれに位置合せ用のマークＲをつけることが望ましい。
【００２３】
一方、前記巻取り胴部３の内壁面には、その内壁面に沿ってリング状に嵌合し合う可動用鍔部７の外側嵌合筒部１９を内側から保持する保持フランジ２５が１８０度対向し合う位置にそれぞれ２箇所設けられている。
【００２４】
２箇所の保持リング２５は、アングル状に形成された一方向への回転を阻止する回転規制面２７と軸方向への動きを阻止する抜け止め規制面２９とを有する一方、可動用鍔部７の外側嵌合筒部１９には、係合ロック部３１ａを有するアングル状の係合ストッパ３１が１８０度対向し合う位置にそれぞれ２箇所設けられている。
【００２５】
したがって、可動用鍔部７を巻取り胴部３に取付ける時に、図６（ａ）に示すように、係合ストッパ３１を巻取り胴部３の保持リング２５に対して偏位させた状態で外側嵌合筒部１９を巻取り胴部３に嵌合させた後、（二点線鎖線）係合ロック部３１ａが前記保持リング２５に設けられた回転規制面２７に当るまで前記可動用鍔部７を回転（二点線鎖線矢印）させることで、図６（ｂ）に示すように係合ロック部３１ａと保持リング２５の抜け止め規制面２９とが噛み合い、軸方向（矢印イ）への動きが拘束されるようになっている。
【００２６】
これにより、取外し胴部９は、周方向及び軸方向への動きが確実に拘束された状態が確保されるようになる。
【００２７】
このように構成された廃棄用の巻取りドラム１によれば、不良品が発見された時には、製品用の巻取りドラムにかえて廃棄用の巻取りドラム１に交換することで、不良品となった光ファイバを巻取ることができる。
【００２８】
次に、廃棄用の巻取りドラム１によって巻取られた光ファイバを取外すには、可動用鍔部７を回転させて係合ロック部３１ａを保持リング２５の抜け止め規制面２９から後退させて噛み合いを解除（図６（ｂ））することで可動用鍔部７を巻取り胴部３から取外せるようになる。
【００２９】
次に、取外し胴部９を、取外された前記可動用鍔部７側へ向け引張ることで、取外せる。この時、取外し胴部９には光ファイバが接触する作用面積が小さくて済むため、大きな抵抗を受けることなく容易に取外せると共に、巻取り胴部３の一部分に大きな隙間空間が作られるようになる。この隙間空間は図７に示すように巻取り面となる円弧面３ａから二点鎖線で示す直線面３ｂとなるため、その差分、光ファイバの弛みとなって現れ、巻取り胴部３から容易に取外せるようになる。
【００３０】
一方、不良品となった光ファイバを取外した後は、まず、先に取外し胴部９を巻取り胴部３に組付け、続いて可動用鍔部７を取付けることで、再び廃棄用巻取りドラム１としての使用が可能となり、繰返し使用できる。
【図面の簡単な説明】
【００３１】
【図１】この発明にかかる廃棄用光ファイバの巻取りドラムの分解斜視図。
【図２】廃棄用光ファイバの巻取りドラムの斜視図。
【図３】巻取りドラムの巻取り胴部から取外し胴部と可動用鍔部を取外した状態の説明図。
【図４】取外し胴部を裏からみた概要平面図。
【図５】巻取りドラムの概要切断面図。
【図６】係合ロック部と保持リングの抜け止め規制面との噛み合い関係を示した動作説明図。
【図７】巻取り胴部が取外された後の隙間空間によって光ファイバに弛みができる原理を示した説明図。
【符号の説明】
【００３２】
１    巻取りドラム
３    巻取り胴部
５    固定用鍔部
７    可動用鍔部
９    取外し胴部
【図１】
2006016145.tif 000003
【図２】
2006016145.tif 000004
【図３】
2006016145.tif 000005
【図４】
2006016145.tif 000006
【図５】
2006016145.tif 000007
【図６】
2006016145.tif 000008
【図７】
2006016145.tif 000009